(57)【要約】【課題】敷物の吸音防音性を高めるために使用される目付けが２５０ｇ／ｍ2 以上となる高目付けの不織布の吸音特性を損なうことなく透湿性を高め、その敷物表面材との貼合工程における水性接着剤の乾燥速度を高め、吸音・防音性に優れた敷物を効率的且つ経済的に提供する。【解決手段】敷物表面材の裏面に目付け２５０ｇ／ｍ2 以上の繊維裏材１４を水性接着剤１３で貼り合わせる。繊維裏材は、ベース繊維ウエブ層２０と外面繊維ウエブ層２１との積層構造とする。繊維裏材の目付けの７０重量％以上をベース繊維ウエブ層とし、その目付けの３０重量％以下を外面繊維ウエブ層とする。ベース繊維ウエブ層の５０重量％以上を１５ｄｔｅｘ未満の主材繊維１９とし、その５０重量％以下を３０ｄｔｅｘ以上の太手繊維とする。その少なくとも一部の太手繊維に扁平糸条１８を使用する。外面繊維ウエブ層は１５ｄｔｅｘ未満の細手繊維によって構成する。【選択図】図１
2005087649.tif 000002
【特許請求の範囲】
【請求項１】
表面材の裏面に目付け２５０ｇ／ｍ2 以上の繊維裏材を水性接着剤によって貼り合わせて成る敷物において、繊維裏材が、表面材との貼合面を構成するベース繊維ウエブ層と、敷物の裏面に現れる外面繊維ウエブ層との２層積層構造を成し、そのベース繊維ウエブ層と外面繊維ウエブ層がニードルパンチング処理によって一体化され、それらのベース繊維ウエブ層の繊維と外面繊維ウエブ層の繊維が絡合しており、繊維裏材の目付けの７０重量％以上をベース繊維ウエブ層が占め、繊維裏材の目付けの３０重量％以下を外面繊維ウエブ層が占め、ベース繊維ウエブ層が、その５０重量％以上を占める１５ｄｔｅｘ未満の主材繊維と、その５０重量％以下を占める３０ｄｔｅｘ以上の太手繊維を主材として構成されており、その少なくとも一部の太手繊維が扁平断面を成す扁平糸条で構成され、外面繊維ウエブ層が１５ｄｔｅｘ未満の細手繊維によって構成されていることを特徴とする敷物。
【請求項２】
ベース繊維ウエブ層の７０重量％以上を１０ｄｔｅｘ未満の主材繊維が占め、外面繊維ウエブ層の９５重量％以上を１０ｄｔｅｘ未満の細手繊維が占めており、ベース繊維ウエブ層の一部の太手繊維が扁平率４以上の扁平糸条で構成され、その扁平率４以上の扁平糸条が少なくとも繊維裏材の単位面積４９ｃｍ2 （タテ・ヨコ各７ｃｍ）の一部に介在している前掲請求項１に記載の敷物。
【請求項３】
ベース繊維ウエブ層に水性接着剤の固化した塗膜を粉砕した塗膜粉末が混在している前掲請求項１と請求項２に記載の敷物。
【発明の詳細な説明】
【技術分野】
【０００１】
本発明は、クッション性、吸音防音性、保温断熱性等、特に吸音防音性を高めるために繊維によって構成された繊維裏材を裏面に貼り合わせて成る敷物に関するものである。
【背景技術】
【０００２】
敷物のクッション性や吸音防音性、保温断熱性等を高めるために、厚手の不織布を繊維裏材として敷物の裏面に貼り合わせることは公知である（例えば、特許文献１、２、３参照）。繊維裏材に使用するニードルパンチ不織布を嵩高に構成するために、ニードルパンチ不織布には繊度１５〜１５０ｄの太手の円形断面の再生ポリエステル繊維が主材繊維として使用され、その太手繊維の脱落を防ぐために熱融着性繊維が混用されている（例えば、特許文献２参照）。目付け２００〜７００ｇ／ｍ2 の厚手の不織布では、敷物裏面への貼合工程で接着剤の乾燥速度を高めるために、２０〜６０ｄｔｅｘの太手繊維好ましくは芯鞘型の熱融着性の太手繊維によって不織布を構成することとしている（例えば、特許文献３参照）。
【特許文献１】特開２０００−０１４５２号公報（要約、０００６、図１・２）
【特許文献２】特開２０００−８３７９５号公報（要約、００２１）
【特許文献３】特開２００３−００４２１号公報（要約、０００７、００２６、図１）
【発明の開示】
【発明が解決しようとする課題】
【０００３】
タフテッドカーペットの裏材（二次基布）として通常使用される不織布の目付けが１５０ｇ／ｍ2 以下、概して４０〜８０ｇ／ｍ2 である。それに対し、敷物に吸音防音性等の機能性を付与するために使用される不織布の目付けは、２００ｇ／ｍ2 以上であって通常使用の不織布の目付けの３倍以上になっている。このため、上記特許文献３も指摘するように、目付け４０〜８０ｇ／ｍ2 の通常の不織布と同様に目付け２００ｇ／ｍ2 以上の不織布を繊維裏材として敷物裏面に水性接着剤を用いて貼り合わせる場合には、塗布した水性接着剤の乾燥時間が長くなり、生産速度が低下する。そして、その速度低下を回避するには、太手繊維によって不織布を構成せざるを得なくなる。しかし、繊維の使用量が多いだけではなく、太手繊維を使用するときは、上記特許文献２・３が指摘するように、熱融着性繊維の混用を必須とするので、繊維裏材が益々高価になり、その構成する繊維の繊度が太くなるにつれて音圧エネルギーを吸収し難くなり、繊維裏材に使用する不織布の吸音特性も低下する。
【０００４】
そこで本発明は、特に敷物の吸音防音性を高めるために使用される目付けが２５０ｇ／ｍ2 以上となる高目付けの不織布の吸音特性を損なうことなく透湿性を高め、その敷物表面材との貼合工程における水性接着剤の乾燥速度を高め、吸音・防音性に優れた敷物を効率的且つ経済的に提供することを目的とする。
【課題を解決するための手段】
【０００５】
即ち、本発明に係る敷物は、表面材の裏面に目付け２５０ｇ／ｍ2 以上の繊維裏材を水性接着剤によって貼り合わせて構成され、その繊維裏材が、表面材との貼合面を構成するベース繊維ウエブ層と、敷物の裏面に現れる外面繊維ウエブ層との２層積層構造を成し、そのベース繊維ウエブ層と外面繊維ウエブ層がニードルパンチング処理によって一体化され、それらのベース繊維ウエブ層の繊維と外面繊維ウエブ層の繊維が絡合しており、繊維裏材の目付けの７０重量％以上をベース繊維ウエブ層が占め、繊維裏材の目付けの３０重量％以下を外面繊維ウエブ層が占め、ベース繊維ウエブ層が、その５０重量％以上を占める１５ｄｔｅｘ未満の主材繊維と、その５０重量％以下を占める３０ｄｔｅｘ以上の太手繊維を主材として構成されており、その少なくとも一部の太手繊維が扁平断面を成す扁平糸条で構成され、外面繊維ウエブ層が１５ｄｔｅｘ未満の細手繊維によって構成されていることを第１の特徴とする。
【０００６】
本発明に係る敷物の第２の特徴は、上記第１の特徴に加えて、ベース繊維ウエブ層の７０重量％以上を１０ｄｔｅｘ未満の主材繊維が占め、外面繊維ウエブ層の９５重量％以上を１０ｄｔｅｘ未満の細手繊維が占めており、ベース繊維ウエブ層の一部の太手繊維が扁平率４以上の扁平糸条で構成され、その扁平率４以上の扁平糸条が少なくとも繊維裏材の単位面積４９ｃｍ2 （タテ・ヨコ各７ｃｍ）の一部に介在している点にある。
【０００７】
本発明に係る敷物の第３の特徴は、上記第１と第２の何れかの特徴に加えて、ベース繊維ウエブ層に水性接着剤の固化した塗膜を粉砕した塗膜粉末が混在している点にある。
【発明の効果】
【０００８】
太手の扁平糸条は、その形状からして細手繊維に馴染み難く、繊維ウエブ層の中にあって扁平糸条と細手繊維の間に隙間が出来易く、その生じる隙間によって繊維裏材の透湿性が高まる。このため、本発明の繊維裏材は、その目付けが２５０ｇ／ｍ2 以上で高目付けであっても、表面材との貼合工程で塗布される水性接着剤の乾燥を阻害せず、その貼合工程での生産速度の低下を招かない。そして、繊度が同じであっても、断面の形状（断面二次係数）の相異によって、円形断面の一般繊維に比して扁平糸条は撓み易く、ニードルパンチング処理において扁平糸条に細手の主材繊維が差し込まれて絡合し易い。このため、扁平糸条が３０ｄｔｅｘ以上の太手繊維であっても繊維裏材から脱落し難く、又、その扁平糸条の含まれるベース繊維ウエブ層を被覆する細手繊維になる外面繊維ウエブ層によって扁平糸条の脱落が抑えられるので、扁平糸条の脱落をを回避するために熱融着性繊維を繊維裏材に混用する必要はなく、従って繊維裏材を安価に構成することが出来る。
【０００９】
そして、繊度が同じであっても円形断面の一般繊維に比して扁平糸条が可撓性に富み、それが３０ｄｔｅｘ以上の太手繊維であっても音圧エネルギーを吸収し易く、而も、その扁平糸条の使用量がベース繊維ウエブ層の目付けの５０重量％以下であり、且つ又、ニードルパンチング処理によって扁平糸条が曲折して繊維裏材に内部隙間を形成することになるので、３０ｄｔｅｘ以上の扁平糸条の使用によって繊維裏材の吸音特性は損なわれない。特に、扁平糸条は、繊維ウエブ層の中にあって言わば水分を拡散する導管の如く作用し、その作用をなす扁平糸条の使用量は、それが繊維裏材の単位面積４９ｃｍ2 の一部に介在する適度の少量、概してベース繊維ウエブ層の目付けの１０重量％未満、更には５重量％未満でもよく、その扁平糸条の使用によっては繊維裏材の吸音特性は左右されない。
【００１０】
ベース繊維ウエブ層の外面が、一般不織布と同様に１５ｄｔｅｘ未満の細手繊維に成る外面繊維ウエブ層で複覆されるので、僅かな扁平糸条が点在するようにベース繊維ウエブ層に混在していても、それによって敷物（繊維裏材）の裏面の美観は損なわれない。
【発明を実施するための最良の形態】
【００１１】
表面材には、タフテッドパイル布帛、パイル織物、パイル編物、ニードルパンチングフエルト、茣蓙、厚手平織物等の布帛が使用される。図１は、一次基布１１にパイル１２を植設したタフテッドパイル布帛を表面材に使用し、その裏面に繊維裏材１４を水性接着剤１３によって貼り合わせて成る敷物１５を図示するものである。図１において、１６は、パイル１２のバックステッチであり、１７は、ニードルパンチング処理によって繊維裏材１４に生じたニードル差込跡を示す。ベース繊維ウエブ層２０には、それを外面繊維ウエブ層２１と一体化する前に、ニードルパンチング処理を施しておくとよい。繊維裏材１４の厚みは、２ｍｍ以上、好ましくは見掛け厚みが５ｍｍ以上になるようにする。水性接着剤には、樹脂エマルジョンやラテックスが用いられ、適宜、充填剤、難燃剤、増粘剤、ワックス等が配合される。
【００１２】
繊維裏材１４の吸音特性を高めるには、その目付けを３５０ｇ／ｍ2 以上、更に好ましくは５００ｇ／ｍ2 以上とし、その目付けの８０重量％以上をベース繊維ウエブ層が占め、繊維裏材の目付けの１０重量％以下を外面繊維ウエブ層が占め、ベース繊維ウエブ層の８０重量％以上を１０ｄｔｅｘ未満の主材繊維が占め、ベース繊維ウエブ層の１０重量％以下を扁平率が４以上で繊度が１００ｄｔｅｘ以上の扁平糸条が占めるようにし、外面繊維ウエブ層の目付けの８０重量％以上を１０ｄｔｅｘ未満の細手繊維が占めるようにする。扁平糸条１８は、繊維裏材１４の表裏に水性接着剤１３の水分の移行を促す導管の如く繊維裏材１４の内部に介在する。従って、扁平糸条１８の長さは、ベース繊維ウエブ層（繊維裏材１４）の厚みの２〜３倍程度であってもよい。
【００１３】
ところで、汎用されるタフテッドカーペットの多くが、扁平率（断面の最大寸法と最小寸法の比率）が１０倍以上で単糸繊度が５００〜２０００ｄｔｅｘのポリプロピレンテープヤーンやスプリットヤーンの扁平モノフイラメント糸に成る織物を一次基布とし、それに繊度１０ｄｔｅｘ未満の細手繊維に成るパイルを植設し、その裏面に水性接着剤を塗布裏打して構成されている。従って、タフテッドカーペットの廃棄物の裁断屑は、扁平糸条（一次基布）１８の破片と繊度１０ｄｔｅｘ未満の主材繊維（パイル）１９と、水性接着剤の固化塗膜の塗膜粉末とで構成されることになる。このため、ベース繊維ウエブ層２０は、そのようなタフテッドカーペットの裁断屑を原料に用い、その堆積された所要の厚みの積層（繊維ウエブ）にニードルパンチング処理して構成することが出来る。従って、本発明は、在来のタフテッドカーペットの廃棄物処理を兼ねて実施することが出来る。そのタフテッドカーペットの裁断屑を原料とするベース繊維ウエブ層２０では、その中に水性接着剤の塗膜粉末が混在することになるが、その混在する水性接着剤の塗膜粉末は、組成分の共通性からして、表面材と繊維裏材１４との貼り合わせに用いる水性接着剤１３に馴染み易く、言わば水性接着剤１３に対する誘い水の如く作用するので、水性接着剤１３の水分が繊維裏材１４に吸収され易い。従って、タフテッドカーペットの廃棄物処理を兼ねて本発明を実施することが望ましく、又、そのようにタフテッドカーペットの廃棄物処理を兼ねて実施出来る点でも、本発明は頗る実用的である。
【００１４】
扁平糸条１８には、繊維裏材１４の表裏に水性接着剤１３の水分の移行を促す導管の如き効用があり、その長さは、ベース繊維ウエブ層（繊維裏材１４）の厚みの２〜３倍程度であってもよく、２〜３ｃｍ程度のものであれば十分である。扁平糸条１８の扁平率は４以上であればよく、扁平糸条１８には、タフテッドカーペットの一次基布や包装資材に使用されている単糸繊度５００〜２０００ｄｔｅｘの扁平糸条に成る織物の廃棄物の裁断屑を使用することが出来、必要に応じてタフテッドカーペットの廃棄物の裁断屑に混用される。その裁断屑に含まれている扁平糸条１８は、扁平率が４以上、好ましくは１０以上となる扁平断面を維持しているものであれば、裁断によって繊度５００ｄｔｅｘ以下に開繊されたものであってもよい。
【図面の簡単な説明】
【００１５】
【図１】本発明に係る敷物の断面側面図であり、一部を円で囲んで拡大して図示している。
【符号の説明】
【００１６】
１１：一次基布
１２：パイル
１３：水性接着剤
１４：繊維裏材
１５：敷物
１６：バックステッチ
１７：ニードル差込跡
１８：扁平糸条
１９：主材繊維
２０：ベース繊維ウエブ層
２１：外面繊維ウエブ層
【図１】
2005087649.tif 000003